【事件の表示】
　特許第５８１２２１６号発明「包装袋」の特許異議申立事件について、次のとおり決定する。
【結　論】
　特許第５８１２２１６号の特許請求の範囲を訂正請求書に添付された特許請求の範囲のとおり、訂正後の請求項［１〜１０］について訂正することを認める。
　特許第５８１２２１６号の請求項１、９、１０に係る特許についての異議申立てを却下する。
【理　由】
１．手続の経緯
　特許第５８１２２１６号の請求項１〜１０に係る特許についての出願は、平成２７年２月３日に特許出願され、平成２７年１０月２日にその特許権の設定登録がされた。
　その後、請求項１、９、１０に係る特許について、特許異議申立人浜俊彦（以下「申立人」という。）により特許異議の申立てがなされ、平成２８年８月９日付けで取消理由が通知され、平成２８年１０月１３日（受付日）に意見書及び訂正請求書の提出があり、当該訂正請求書に対して平成２８年１１月７日付けで手続補正指令が通知され、平成２８年１１月１６日（受付日）に手続補正書が提出された。
２．訂正の適否についての判断
（１）訂正の内容
　本件訂正の内容は、本件特許の特許請求の範囲を訂正請求書に添付された訂正特許請求の範囲のとおり訂正するもので、以下のア〜クの訂正事項１〜８からなるものである。
ア　訂正事項１
　請求項１を削除する。
イ　訂正事項２
　請求項２の
「前記左側の開封開始手段は、
　左の側端縁熱接着部を構成する手前側及び奥側の積層体を貫通し且つ左の側端縁熱接着部の外縁から左の側端縁熱接着部の内縁には達しない位置に形成された左側Ｉノッチと、
　左の側端縁熱接着部を構成する手前側の積層体の外層に形成された切目線であり且つ左の側端縁熱接着部の外縁から右方向に後退した位置から右方向に進行して近接するように延伸する手前左側の複数本の切目線と、
　左の側端縁熱接着部を構成する奥側の積層体の外層に形成された切目線であり且つ左の側端縁熱接着部の外縁から右方向に後退した位置から右方向に進行して近接するように延伸する奥左側の複数本の切目線と、の組み合わせであり、
　左側Ｉノッチの右端より右方向に延ばした延長線が、手前左側の複数本の切目線うち最も外側に位置する２本の外側切目線の間の領域と交叉する位置に設けられており、
　左側Ｉノッチの右端より右方向に延ばした延長線が、奥左側の複数本の切目線うち最も外側に位置する２本の外側切目線の間の領域と交叉する位置に設けられており、
　前記右側の開封開始手段は、
　右の側端縁熱接着部を構成する手前側及び奥側の積層体を貫通し且つ右の側端縁熱接着部の外縁から右の側端縁熱接着部の内縁には達しない位置に形成された右側Ｉノッチと、
　右の側端縁熱接着部を構成する手前側の積層体の外層に形成された切目線であり且つ右の側端縁熱接着部の外縁から左方向に後退した位置から左方向に進行して近接するように延伸する手前右側の複数本の切目線と、
　右の側端縁熱接着部を構成する奥側の積層体の外層に形成された切目線であり且つ右の側端縁熱接着部の外縁から左方向に後退した位置から左方向に進行して近接するように延伸する奥右側の複数本の切目線との組み合わせであり、
右側Ｉノッチの左端より左方向に延ばした延長線が、手前右側の複数本の切目線うち最も外側に位置する２本の外側切目線の間の領域と交叉する位置に設けられており、
　右側Ｉノッチの左端より左方向に延ばした延長線が、奥右側の複数本の切目線うち最も外側に位置する２本の外側切目線の間の領域と交叉する位置に設けられている、
ことを特徴とする請求項１に記載の包装袋。」を
「
外層とアルミニウムからなる中間層と熱接着性樹脂からなる内層とを少なくとも有する矩形状の積層体の前記内層同士を重ね合わせて手前側の積層体と奥側の積層体と成し、
　手前側の積層体の平面視状態における対向する一組の左右の側端縁の対向する位置で手前側及び奥側の積層体同士を熱接着して接合状態とすることにより少なくとも左右の側端縁熱接着部を形成し、
　前記左の側端縁熱接着部から右の側端縁熱接着部にかけて設けられた開封手段により左右方向に引裂き開口した際に、引裂き開口部を形成する手前側と奥側の積層体の切断面の外郭とを異ならしめることで、引裂き開口部に段差を生じさせる包装袋であって、
　前記開封手段は、左側の開封開始手段と、右側の開封開始手段と、これら左側と右側の開封開始手段に挟まれた段差形成手段とを備えており、
　前記段差形成手段は、前記手前側の積層体の外層に形成された手前側の段差形成用切目線と、前記奥側の積層体の外層に形成された奥側の段差形成用切目線とを備えており、
　前記手前側の段差形成用切目線は、左側の一点から分岐して右側の一点に収斂する上側に膨れる円弧状切目線と下側に膨れる円弧状切目線とを備えており、
　前記奥側の段差形成用切目線は、前記手前側の段差形成用切目線の前記上側に膨れる円弧状切目線と前記下側に膨れる円弧状切目線との間と対応する位置を、左右方向に進行する一本の切目線を備えており、
　前記左側の開封開始手段は、
　左の側端縁熱接着部を構成する手前側及び奥側の積層体を貫通し且つ左の側端縁熱接着部の外縁から左の側端縁熱接着部の内縁には達しない位置に形成された左側Ｉノッチと、
　左の側端縁熱接着部を構成する手前側の積層体の外層に形成された切目線であり且つ左の側端縁熱接着部の外縁から右方向に後退した位置から右方向に進行して近接するように延伸する手前左側の複数本の切目線と、
　左の側端縁熱接着部を構成する奥側の積層体の外層に形成された切目線であり且つ左の側端縁熱接着部の外縁から右方向に後退した位置から右方向に進行して近接するように延伸する奥左側の複数本の切目線と、の組み合わせであり、
　左側Ｉノッチの右端より右方向に延ばした延長線が、手前左側の複数本の切目線うち最も外側に位置する２本の外側切目線の間の領域と交叉する位置に設けられており、
　左側Ｉノッチの右端より右方向に延ばした延長線が、奥左側の複数本の切目線うち最も外側に位置する２本の外側切目線の間の領域と交叉する位置に設けられており、
　前記右側の開封開始手段は、
　右の側端縁熱接着部を構成する手前側及び奥側の積層体を貫通し且つ右の側端縁熱接着部の外縁から右の側端縁熱接着部の内縁には達しない位置に形成された右側Ｉノッチと、
　右の側端縁熱接着部を構成する手前側の積層体の外層に形成された切目線であり且つ右の側端縁熱接着部の外縁から左方向に後退した位置から左方向に進行して近接するように延伸する手前右側の複数本の切目線と、
　右の側端縁熱接着部を構成する奥側の積層体の外層に形成された切目線であり且つ右の側端縁熱接着部の外縁から左方向に後退した位置から左方向に進行して近接するように延伸する奥右側の複数本の切目線との組み合わせであり、
右側Ｉノッチの左端より左方向に延ばした延長線が、手前右側の複数本の切目線うち最も外側に位置する２本の外側切目線の間の領域と交叉する位置に設けられており、
　右側Ｉノッチの左端より左方向に延ばした延長線が、奥右側の複数本の切目線うち最も外側に位置する２本の外側切目線の間の領域と交叉する位置に設けられている、
ことを
特徴とする包装袋
ウ　訂正事項３
　請求項３の
「前記左側の開封開始手段は、
　左の側端縁熱接着部を構成する手前側及び奥側の積層体を貫通し且つ左の側端縁熱接着部の外縁の位置において幅が広い左端を備えるとともに左の側端縁熱接着部の内縁には達しない位置において幅が集約された右端を備える左側引裂開始領域と、
　左の側端縁熱接着部を構成する手前側の積層体の外層に形成された切目線であり且つ左の側端縁熱接着部の外縁から右方向に後退した位置から右方向に進行して近接するように延伸する手前左側の複数本の切目線と、
　左の側端縁熱接着部を構成する奥側の積層体の外層に形成された切目線であり且つ左の側端縁熱接着部の外縁から右方向に後退した位置から右方向に進行して近接するように延伸する奥左側の複数本の切目線との組み合わせであり、
　左側引裂開始領域の右端より右方向に延ばした延長線が、手前左側の複数本の切目線うち最も外側に位置する２本の外側切目線の間の領域と交叉する位置に設けられており、
　左側引裂開始領域の右端より右方向に延ばした延長線が、奥左側の複数本の切目線うち最も外側に位置する２本の外側切目線の間の領域と交叉する位置に設けられており、
　前記右側の開封開始手段は、
　右の側端縁熱接着部を構成する手前側及び奥側の積層体を貫通し且つ右の側端縁熱接着部の外縁の位置において幅が広い右端を備えると伴に右の側端縁熱接着部の内縁には達しない位置において幅が集約された左端を備える右側引裂開始領域と、
　右の側端縁熱接着部を構成する手前側の積層体の外層に形成された切目線であり且つ右の側端縁熱接着部の外縁から左方向に後退した位置から左方向に進行して近接するように延伸する手前右側の複数本の切目線と、
　右の側端縁熱接着部を構成する奥側の積層体の外層に形成された切目線であり且つ右の側端縁熱接着部の外縁から左方向に後退した位置から左方向に進行して近接するように延伸する奥右側の複数本の切目線との組み合わせであり、
　右側引裂開始領域の左端より左方向に延ばした延長線が、手前右側の複数本の切目線うち最も外側に位置する２本の外側切目線の間の領域と交叉する位置に設けられており、
　右側引裂開始領域の左端より左方向に延ばした延長線が、奥右側の複数本の切目線うち最も外側に位置する２本の外側切目線の間の領域と交叉する位置に設けられている
ことを特徴とする請求項１に記載の包装袋。」を
「
外層とアルミニウムからなる中間層と熱接着性樹脂からなる内層とを少なくとも有する矩形状の積層体の前記内層同士を重ね合わせて手前側の積層体と奥側の積層体と成し、
　手前側の積層体の平面視状態における対向する一組の左右の側端縁の対向する位置で手前側及び奥側の積層体同士を熱接着して接合状態とすることにより少なくとも左右の側端縁熱接着部を形成し、
　前記左の側端縁熱接着部から右の側端縁熱接着部にかけて設けられた開封手段により左右方向に引裂き開口した際に、引裂き開口部を形成する手前側と奥側の積層体の切断面の外郭とを異ならしめることで、引裂き開口部に段差を生じさせる包装袋であって、
　前記開封手段は、左側の開封開始手段と、右側の開封開始手段と、これら左側と右側の開封開始手段に挟まれた段差形成手段とを備えており、
　前記段差形成手段は、前記手前側の積層体の外層に形成された手前側の段差形成用切目線と、前記奥側の積層体の外層に形成された奥側の段差形成用切目線とを備えており、
　前記手前側の段差形成用切目線は、左側の一点から分岐して右側の一点に収斂する上側に膨れる円弧状切目線と下側に膨れる円弧状切目線とを備えており、
　前記奥側の段差形成用切目線は、前記手前側の段差形成用切目線の前記上側に膨れる円弧状切目線と前記下側に膨れる円弧状切目線との間と対応する位置を、左右方向に進行する一本の切目線を備えており、
　前記左側の開封開始手段は、
　左の側端縁熱接着部を構成する手前側及び奥側の積層体を貫通し且つ左の側端縁熱接着部の外縁の位置において幅が広い左端を備えるとともに左の側端縁熱接着部の内縁には達しない位置において幅が集約された右端を備える左側引裂開始領域と、
　左の側端縁熱接着部を構成する手前側の積層体の外層に形成された切目線であり且つ左の側端縁熱接着部の外縁から右方向に後退した位置から右方向に進行して近接するように延伸する手前左側の複数本の切目線と、
　左の側端縁熱接着部を構成する奥側の積層体の外層に形成された切目線であり且つ左の側端縁熱接着部の外縁から右方向に後退した位置から右方向に進行して近接するように延伸する奥左側の複数本の切目線との組み合わせであり、
　左側引裂開始領域の右端より右方向に延ばした延長線が、手前左側の複数本の切目線うち最も外側に位置する２本の外側切目線の間の領域と交叉する位置に設けられており、
　左側引裂開始領域の右端より右方向に延ばした延長線が、奥左側の複数本の切目線うち最も外側に位置する２本の外側切目線の間の領域と交叉する位置に設けられており、
　前記右側の開封開始手段は、
　右の側端縁熱接着部を構成する手前側及び奥側の積層体を貫通し且つ右の側端縁熱接着部の外縁の位置において幅が広い右端を備えると伴に右の側端縁熱接着部の内縁には達しない位置において幅が集約された左端を備える右側引裂開始領域と、
　右の側端縁熱接着部を構成する手前側の積層体の外層に形成された切目線であり且つ右の側端縁熱接着部の外縁から左方向に後退した位置から左方向に進行して近接するように延伸する手前右側の複数本の切目線と、
　右の側端縁熱接着部を構成する奥側の積層体の外層に形成された切目線であり且つ右の側端縁熱接着部の外縁から左方向に後退した位置から左方向に進行して近接するように延伸する奥右側の複数本の切目線との組み合わせであり、
　右側引裂開始領域の左端より左方向に延ばした延長線が、手前右側の複数本の切目線うち最も外側に位置する２本の外側切目線の間の領域と交叉する位置に設けられており、
　右側引裂開始領域の左端より左方向に延ばした延長線が、奥右側の複数本の切目線うち最も外側に位置する２本の外側切目線の間の領域と交叉する位置に設けられている
ことを
特徴とする包装袋
エ　訂正事項４
　請求項４の
「前記左側の開封開始手段は、
　左の側端縁熱接着部を構成する手前側及び奥側の積層体を貫通する傷痕群であって且つ左の側端縁熱接着部の外縁から左の側端縁熱接着部の内縁には達しない位置に形成された左側引裂き開始領域と、
　左の側端縁熱接着部を構成する手前側の積層体の外層に形成された切目線であり且つ左の側端縁熱接着部の外縁から右方向に後退した位置から右方向に進行して近接するように延伸する手前左側の複数本の切目線と、
　左の側端縁熱接着部を構成する奥側の積層体の外層に形成された切目線であり且つ左の側端縁熱接着部の外縁から右方向に後退した位置から右方向に進行して近接するように延伸する奥左側の複数本の切目線との組み合わせであり、
　左側引裂開始領域が、手前左側の複数本の切目線のうち最も外側に位置する２本の外側切目線と、これら２本の外側切目線のそれぞれの左端から左方向に延びる二本の延長線と、左の側端縁熱接着部の外縁と、で囲まれた領域内に設けられており、
　左側引裂開始領域が、奥左側の複数本の切目線のうち最も外側に位置する２本の外側切目線と、これら２本の外側切目線のそれぞれの左端から左方向に延びる二本の延長線と、左の側端縁熱接着部の外縁と、で囲まれた領域内に設けられており、
　前記右側の開封開始手段は、
右の側端縁熱接着部を構成する手前側及び奥側の積層体を貫通する傷痕群であって且つ右の側端縁熱接着部の外縁から右の側端縁熱接着部の内縁には達しない位置に形成された右側引裂き開始領域と、
　右の側端縁熱接着部を構成する手前側の積層体の外層に形成された切目線であり且つ右の側端縁熱接着部の外縁から左方向に後退した位置から左方向に進行して近接するように延伸する手前右側の複数本の切目線と、
　右の側端縁熱接着部を構成する奥側の積層体の外層に形成された切目線であり且つ右の側端縁熱接着部の外縁から左方向に後退した位置から左方向に進行して近接するように延伸する奥右側の複数本の切目線との組み合わせであり、
　右側引裂開始領域が、手前右側の複数本の切目線のうち最も外側に位置する２本の外側切目線と、これら２本の外側切目線のそれぞれの右端から右方向に延びる二本の延長線と、右の側端縁熱接着部の外縁と、で囲まれた領域内に設けられており、
　右側引裂開始領域が、奥右側の複数本の切目線のうち最も外側に位置する２本の外側切目線と、これら２本の外側切目線のそれぞれの右端から右方向に延びる二本の延長線と、右の側端縁熱接着部の外縁と、で囲まれた領域内に設けられている、
ことを特徴とする請求項１に記載の包装袋。」を
「
外層とアルミニウムからなる中間層と熱接着性樹脂からなる内層とを少なくとも有する矩形状の積層体の前記内層同士を重ね合わせて手前側の積層体と奥側の積層体と成し、
　手前側の積層体の平面視状態における対向する一組の左右の側端縁の対向する位置で手前側及び奥側の積層体同士を熱接着して接合状態とすることにより少なくとも左右の側端縁熱接着部を形成し、
　前記左の側端縁熱接着部から右の側端縁熱接着部にかけて設けられた開封手段により左右方向に引裂き開口した際に、引裂き開口部を形成する手前側と奥側の積層体の切断面の外郭とを異ならしめることで、引裂き開口部に段差を生じさせる包装袋であって、
　前記開封手段は、左側の開封開始手段と、右側の開封開始手段と、これら左側と右側の開封開始手段に挟まれた段差形成手段とを備えており、
　前記段差形成手段は、前記手前側の積層体の外層に形成された手前側の段差形成用切目線と、前記奥側の積層体の外層に形成された奥側の段差形成用切目線とを備えており、
　前記手前側の段差形成用切目線は、左側の一点から分岐して右側の一点に収斂する上側に膨れる円弧状切目線と下側に膨れる円弧状切目線とを備えており、
　前記奥側の段差形成用切目線は、前記手前側の段差形成用切目線の前記上側に膨れる円弧状切目線と前記下側に膨れる円弧状切目線との間と対応する位置を、左右方向に進行する一本の切目線を備えており、
　前記左側の開封開始手段は、
　左の側端縁熱接着部を構成する手前側及び奥側の積層体を貫通する傷痕群であって且つ左の側端縁熱接着部の外縁から左の側端縁熱接着部の内縁には達しない位置に形成された左側引裂き開始領域と、
　左の側端縁熱接着部を構成する手前側の積層体の外層に形成された切目線であり且つ左の側端縁熱接着部の外縁から右方向に後退した位置から右方向に進行して近接するように延伸する手前左側の複数本の切目線と、
　左の側端縁熱接着部を構成する奥側の積層体の外層に形成された切目線であり且つ左の側端縁熱接着部の外縁から右方向に後退した位置から右方向に進行して近接するように延伸する奥左側の複数本の切目線との組み合わせであり、
　左側引裂開始領域が、手前左側の複数本の切目線のうち最も外側に位置する２本の外側切目線と、これら２本の外側切目線のそれぞれの左端から左方向に延びる二本の延長線と、左の側端縁熱接着部の外縁と、で囲まれた領域内に設けられており、
　左側引裂開始領域が、奥左側の複数本の切目線のうち最も外側に位置する２本の外側切目線と、これら２本の外側切目線のそれぞれの左端から左方向に延びる二本の延長線と、左の側端縁熱接着部の外縁と、で囲まれた領域内に設けられており、
　前記右側の開封開始手段は、
右の側端縁熱接着部を構成する手前側及び奥側の積層体を貫通する傷痕群であって且つ右の側端縁熱接着部の外縁から右の側端縁熱接着部の内縁には達しない位置に形成された右側引裂き開始領域と、
　右の側端縁熱接着部を構成する手前側の積層体の外層に形成された切目線であり且つ右の側端縁熱接着部の外縁から左方向に後退した位置から左方向に進行して近接するように延伸する手前右側の複数本の切目線と、
　右の側端縁熱接着部を構成する奥側の積層体の外層に形成された切目線であり且つ右の側端縁熱接着部の外縁から左方向に後退した位置から左方向に進行して近接するように延伸する奥右側の複数本の切目線との組み合わせであり、
　右側引裂開始領域が、手前右側の複数本の切目線のうち最も外側に位置する２本の外側切目線と、これら２本の外側切目線のそれぞれの右端から右方向に延びる二本の延長線と、右の側端縁熱接着部の外縁と、で囲まれた領域内に設けられており、
　右側引裂開始領域が、奥右側の複数本の切目線のうち最も外側に位置する２本の外側切目線と、これら２本の外側切目線のそれぞれの右端から右方向に延びる二本の延長線と、右の側端縁熱接着部の外縁と、で囲まれた領域内に設けられている、
ことを
特徴とする包装袋
オ　訂正事項５
　請求項５の
「前記左側の開封開始手段は、
　左の側端縁熱接着部を構成する手前側及び奥側の積層体を貫通する傷痕群であって且つ左の側端縁熱接着部の外縁から左の側端縁熱接着部の内縁には達しない位置に形成された左側引裂き開始領域と、
　左の側端縁熱接着部を構成する手前側の積層体の外層に形成された切目線であり且つ左の側端縁熱接着部の外縁から右方向に後退した位置から右方向に進行して近接するように延伸する手前左側の複数本の切目線と、
　左の側端縁熱接着部を構成する奥側の積層体の外層に形成された切目線であり且つ左の側端縁熱接着部の外縁から右方向に後退した位置から右方向に進行して近接するように延伸する奥左側の複数本の切目線と、の組み合わせであり、
　左側引裂開始領域が、手前左側の複数本の切目線のうち最も外側に位置する２本の外側切目線と、これら２本の外側切目線のそれぞれの左端から左方向に延びる二本の延長線と、これら２本の外側切目線のそれぞれの近接する右端同志をつないだ線と、左の側端縁熱接着部の外縁と、で囲まれた六角形状の領域内に設けられており、
　左側引裂開始領域が、奥左側の複数本の切目線のうち最も外側に位置する２本の外側切目線と、これら２本の外側切目線のそれぞれの左端から左方向に延びる二本の延長線と、これら２本の外側切目線のそれぞれの近接する右端同志をつないだ線と、左の側端縁熱接着部の外縁と、で囲まれた六角形状の領域内に設けられており、
　前記右側の開封開始手段は、
　右の側端縁熱接着部を構成する手前側及び奥側の積層体を貫通する傷痕群であって且つ右の側端縁熱接着部の外縁から右の側端縁熱接着部の内縁には達しない位置に形成された右側引裂き開始領域と、
　右の側端縁熱接着部を構成する手前側の積層体の外層に形成された切目線であり且つ右の側端縁熱接着部の外縁から左方向に後退した位置から左方向に進行して近接するように延伸する手前右側の複数本の切目線と、
　右の側端縁熱接着部を構成する奥側の積層体の外層に形成された切目線であり且つ右の側端縁熱接着部の外縁から左方向に後退した位置から左方向に進行して近接するように延伸する奥右側の複数本の切目線との組み合わせであり、
　右側引裂開始領域が、手前右側の複数本の切目線のうち最も外側に位置する２本の外側切目線と、これら２本の外側切目線のそれぞれの右端から右方向に延びる二本の延長線と、これら２本の外側切目線のそれぞれの近接する左端同志をつないだ線と、右の側端縁熱接着部の外縁と、で囲まれた六角形状の領域内に設けられており、
　右側引裂開始領域が、奥右側の複数本の切目線のうち最も外側に位置する２本の外側切目線と、これら２本の外側切目線のそれぞれの右端から右方向に延びる二本の延長線と、これら２本の外側切目線のそれぞれの近接する左端同志をつないだ線と、右の側端縁熱接着部の外縁と、で囲まれた六角形状の領域内に設けられている、
ことを特徴とする請求項１に記載の包装袋。」を
「
外層とアルミニウムからなる中間層と熱接着性樹脂からなる内層とを少なくとも有する矩形状の積層体の前記内層同士を重ね合わせて手前側の積層体と奥側の積層体と成し、
　手前側の積層体の平面視状態における対向する一組の左右の側端縁の対向する位置で手前側及び奥側の積層体同士を熱接着して接合状態とすることにより少なくとも左右の側端縁熱接着部を形成し、
　前記左の側端縁熱接着部から右の側端縁熱接着部にかけて設けられた開封手段により左右方向に引裂き開口した際に、引裂き開口部を形成する手前側と奥側の積層体の切断面の外郭とを異ならしめることで、引裂き開口部に段差を生じさせる包装袋であって、
　前記開封手段は、左側の開封開始手段と、右側の開封開始手段と、これら左側と右側の開封開始手段に挟まれた段差形成手段とを備えており、
　前記段差形成手段は、前記手前側の積層体の外層に形成された手前側の段差形成用切目線と、前記奥側の積層体の外層に形成された奥側の段差形成用切目線とを備えており、
　前記手前側の段差形成用切目線は、左側の一点から分岐して右側の一点に収斂する上側に膨れる円弧状切目線と下側に膨れる円弧状切目線とを備えており、
　前記奥側の段差形成用切目線は、前記手前側の段差形成用切目線の前記上側に膨れる円弧状切目線と前記下側に膨れる円弧状切目線との間と対応する位置を、左右方向に進行する一本の切目線を備えており、
　前記左側の開封開始手段は、
　左の側端縁熱接着部を構成する手前側及び奥側の積層体を貫通する傷痕群であって且つ左の側端縁熱接着部の外縁から左の側端縁熱接着部の内縁には達しない位置に形成された左側引裂き開始領域と、
　左の側端縁熱接着部を構成する手前側の積層体の外層に形成された切目線であり且つ左の側端縁熱接着部の外縁から右方向に後退した位置から右方向に進行して近接するように延伸する手前左側の複数本の切目線と、
　左の側端縁熱接着部を構成する奥側の積層体の外層に形成された切目線であり且つ左の側端縁熱接着部の外縁から右方向に後退した位置から右方向に進行して近接するように延伸する奥左側の複数本の切目線と、の組み合わせであり、
　左側引裂開始領域が、手前左側の複数本の切目線のうち最も外側に位置する２本の外側切目線と、これら２本の外側切目線のそれぞれの左端から左方向に延びる二本の延長線と、これら２本の外側切目線のそれぞれの近接する右端同志をつないだ線と、左の側端縁熱接着部の外縁と、で囲まれた六角形状の領域内に設けられており、
　左側引裂開始領域が、奥左側の複数本の切目線のうち最も外側に位置する２本の外側切目線と、これら２本の外側切目線のそれぞれの左端から左方向に延びる二本の延長線と、これら２本の外側切目線のそれぞれの近接する右端同志をつないだ線と、左の側端縁熱接着部の外縁と、で囲まれた六角形状の領域内に設けられており、
　前記右側の開封開始手段は、
　右の側端縁熱接着部を構成する手前側及び奥側の積層体を貫通する傷痕群であって且つ右の側端縁熱接着部の外縁から右の側端縁熱接着部の内縁には達しない位置に形成された右側引裂き開始領域と、
　右の側端縁熱接着部を構成する手前側の積層体の外層に形成された切目線であり且つ右の側端縁熱接着部の外縁から左方向に後退した位置から左方向に進行して近接するように延伸する手前右側の複数本の切目線と、
　右の側端縁熱接着部を構成する奥側の積層体の外層に形成された切目線であり且つ右の側端縁熱接着部の外縁から左方向に後退した位置から左方向に進行して近接するように延伸する奥右側の複数本の切目線との組み合わせであり、
　右側引裂開始領域が、手前右側の複数本の切目線のうち最も外側に位置する２本の外側切目線と、これら２本の外側切目線のそれぞれの右端から右方向に延びる二本の延長線と、これら２本の外側切目線のそれぞれの近接する左端同志をつないだ線と、右の側端縁熱接着部の外縁と、で囲まれた六角形状の領域内に設けられており、
　右側引裂開始領域が、奥右側の複数本の切目線のうち最も外側に位置する２本の外側切目線と、これら２本の外側切目線のそれぞれの右端から右方向に延びる二本の延長線と、これら２本の外側切目線のそれぞれの近接する左端同志をつないだ線と、右の側端縁熱接着部の外縁と、で囲まれた六角形状の領域内に設けられている、
ことを
特徴とする包装袋
カ　訂正事項６
　請求項６の
「請求項１から５のいずれかに記載の包装袋。」を
「請求項
２
キ　訂正事項７
　請求項９の
「請求項１から８のいずれかに記載の包装袋。」を
「請求項
２
ク　訂正事項８
　請求項１０の
「請求項１から９のいずれかに記載の包装袋。」を
「請求項
２
（２）訂正の目的の適否、新規事項の有無、特許請求の範囲の拡張・変更の存否、及び一群の請求項
　上記（１）アの訂正事項１は、請求項１を削除するものであり、特許請求の範囲の減縮を目的とするものである。また、新規事項の追加に該当せず、実質上特許請求の範囲を拡張し、又は変更するものではないことは明らかである。
　上記（１）イ〜オの訂正事項２〜５は、それぞれ、請求項１を引用する請求項２〜５を、独立請求項とするものであるから、「他の請求項の記載を引用する請求項の記載を当該他の請求項の記載を引用しないものとすること」を目的とするものである。また、新規事項の追加に該当せず、実質上特許請求の範囲を拡張し、又は変更するものではないことは明らかである。 
　
　上記（１）カの訂正事項６は、上記訂正事項１に係る請求項１の削除に対応して、請求項１から５のいずれか１項を引用する請求項６を、請求項２から５のいずれか１項を引用する請求項６とするものであるから、明瞭でない記載の釈明を目的とするものである。また、新規事項の追加に該当せず、実質上特許請求の範囲を拡張し、又は変更するものではないことは明らかである。 
　上記（１）キの訂正事項７は、上記訂正事項１に係る請求項１の削除に対応して、請求項１から８のいずれか１項を引用する請求項９を、請求項２から８のいずれか１項を引用する請求項９とするものであるから、明瞭でない記載の釈明を目的とするものである。また、新規事項の追加に該当せず、実質上特許請求の範囲を拡張し、又は変更するものではないことは明らかである。 
　上記（１）クの訂正事項８は、上記訂正事項１に係る請求項１の削除に対応して、請求項１から９のいずれか１項を引用する請求項１０を、請求項２から９のいずれか１項を引用する請求項１０とするものであるから、明瞭でない記載の釈明を目的とするものである。また、新規事項の追加に該当せず、実質上特許請求の範囲を拡張し、又は変更するものではないことは明らかである。 
　そして、本件訂正前の請求項２〜１０は請求項１を直接あるいは間接に引用する請求項であるから、請求項１〜１０は一群の請求項であるところ、これらの訂正は、一群の請求項１〜１０に対し請求されたものである。
（３）小括
　以上のとおりであるから、本件訂正請求による訂正は特許法第１２０条の５第２項第１号、第３号及び第４号に掲げる事項を目的とするものであり、かつ、同条第４項、及び、同条第９項において準用する同法１２６条第４項から第６項までの規定に適合するので、訂正後の請求項［１〜１０］についての訂正を認める。
３．特許異議の申立てについて
　請求項１、９、１０に係る特許に対して特許異議の申立てがなされているところ、請求項９については、請求項１を直接引用するもの以外に申立ての理由が示されておらず、請求項１０については、請求項１を直接引用するもの、及び、請求項１を直接引用する請求項９を直接引用する請求項１０以外に申立ての理由が示されていない。
　したがって、請求項９については請求項１を直接引用するもののみ、請求項１０については請求項１を直接引用するものと、請求項１を直接引用する請求項９を直接引用するもののみについて特許異議の申立てがなされたものと認められる。
　ここで、上記２．のとおり本件訂正が認められ、請求項１に係る特許、請求項１を直接引用する請求項９に係る特許、請求項１を直接引用する請求項１０に係る特許、及び、請求項１を直接引用する請求項９を直接引用する請求項１０に係る特許は、訂正により削除された。
　そのため、請求項１、９、１０に係る特許に対して申立人がした特許異議の申立ては、対象となる請求項が存在しないものである。
　したがって、本件特許異議の申立ては、特許法第１２０条の８第１項で準用する第１３５条の規定よって却下すべきものである。
　よって、結論のとおり決定する。
【異議決定日】
平成２９年１月１２日（２０１７．１．１２）
【訂正の要旨】
審決（決定）の【理由】欄参照。
（５７）【特許請求の範囲】
　【請求項１】（削除）
　【請求項２】
　外層とアルミニウムからなる中間層と熱接着性樹脂からなる内層とを少なくとも有する矩形状の積層体の前記内層同士を重ね合わせて手前側の積層体と奥側の積層体と成し、
　手前側の積層体の平面視状態における対向する一組の左右の側端縁の対向する位置で手前側及び奥側の積層体同士を熱接着して接合状態とすることにより少なくとも左右の側端縁熱接着部を形成し、
　前記左の側端縁熱接着部から右の側端縁熱接着部にかけて設けられた開封手段により左右方向に引裂き開口した際に、引裂き開口部を形成する手前側と奥側の積層体の切断面の外郭とを異ならしめることで、引裂き開口部に段差を生じさせる包装袋であって、
　前記開封手段は、左側の開封開始手段と、右側の開封開始手段と、これら左側と右側の開封開始手段に挟まれた段差形成手段とを備えており、
　前記段差形成手段は、前記手前側の積層体の外層に形成された手前側の段差形成用切目線と、前記奥側の積層体の外層に形成された奥側の段差形成用切目線とを備えており、
　前記手前側の段差形成用切目線は、左側の一点から分岐して右側の一点に収斂する上側に膨れる円弧状切目線と下側に膨れる円弧状切目線とを備えており、
　前記奥側の段差形成用切目線は、前記手前側の段差形成用切目線の前記上側に膨れる円弧状切目線と前記下側に膨れる円弧状切目線との間と対応する位置を、左右方向に進行する一本の切目線を備えており、
　前記左側の開封開始手段は、
　左の側端縁熱接着部を構成する手前側及び奥側の積層体を貫通し且つ左の側端縁熱接着部の外縁から左の側端縁熱接着部の内縁には達しない位置に形成された左側Ｉノッチと、
　左の側端縁熱接着部を構成する手前側の積層体の外層に形成された切目線であり且つ左の側端縁熱接着部の外縁から右方向に後退した位置から右方向に進行して近接するように延伸する手前左側の複数本の切目線と、
　左の側端縁熱接着部を構成する奥側の積層体の外層に形成された切目線であり且つ左の側端縁熱接着部の外縁から右方向に後退した位置から右方向に進行して近接するように延伸する奥左側の複数本の切目線と、の組み合わせであり、
　左側Ｉノッチの右端より右方向に延ばした延長線が、手前左側の複数本の切目線うち最も外側に位置する２本の外側切目線の間の領域と交叉する位置に設けられており、
　左側Ｉノッチの右端より右方向に延ばした延長線が、奥左側の複数本の切目線うち最も外側に位置する２本の外側切目線の間の領域と交叉する位置に設けられており、
　前記右側の開封開始手段は、
　右の側端縁熱接着部を構成する手前側及び奥側の積層体を貫通し且つ右の側端縁熱接着部の外縁から右の側端縁熱接着部の内縁には達しない位置に形成された右側Ｉノッチと、
　右の側端縁熱接着部を構成する手前側の積層体の外層に形成された切目線であり且つ右の側端縁熱接着部の外縁から左方向に後退した位置から左方向に進行して近接するように延伸する手前右側の複数本の切目線と、
　右の側端縁熱接着部を構成する奥側の積層体の外層に形成された切目線であり且つ右の側端縁熱接着部の外縁から左方向に後退した位置から左方向に進行して近接するように延伸する奥右側の複数本の切目線との組み合わせであり、
右側Ｉノッチの左端より左方向に延ばした延長線が、手前右側の複数本の切目線うち最も外側に位置する２本の外側切目線の間の領域と交叉する位置に設けられており、
　右側Ｉノッチの左端より左方向に延ばした延長線が、奥右側の複数本の切目線うち最も外側に位置する２本の外側切目線の間の領域と交叉する位置に設けられている、
ことを
特徴とする包装袋
　【請求項３】
　外層とアルミニウムからなる中間層と熱接着性樹脂からなる内層とを少なくとも有する矩形状の積層体の前記内層同士を重ね合わせて手前側の積層体と奥側の積層体と成し、
　手前側の積層体の平面視状態における対向する一組の左右の側端縁の対向する位置で手前側及び奥側の積層体同士を熱接着して接合状態とすることにより少なくとも左右の側端縁熱接着部を形成し、
　前記左の側端縁熱接着部から右の側端縁熱接着部にかけて設けられた開封手段により左右方向に引裂き開口した際に、引裂き開口部を形成する手前側と奥側の積層体の切断面の外郭とを異ならしめることで、引裂き開口部に段差を生じさせる包装袋であって、
　前記開封手段は、左側の開封開始手段と、右側の開封開始手段と、これら左側と右側の開封開始手段に挟まれた段差形成手段とを備えており、
　前記段差形成手段は、前記手前側の積層体の外層に形成された手前側の段差形成用切目線と、前記奥側の積層体の外層に形成された奥側の段差形成用切目線とを備えており、
　前記手前側の段差形成用切目線は、左側の一点から分岐して右側の一点に収斂する上側に膨れる円弧状切目線と下側に膨れる円弧状切目線とを備えており、
　前記奥側の段差形成用切目線は、前記手前側の段差形成用切目線の前記上側に膨れる円弧状切目線と前記下側に膨れる円弧状切目線との間と対応する位置を、左右方向に進行する一本の切目線を備えており、
　前記左側の開封開始手段は、
　左の側端縁熱接着部を構成する手前側及び奥側の積層体を貫通し且つ左の側端縁熱接着部の外縁の位置において幅が広い左端を備えるとともに左の側端縁熱接着部の内縁には達しない位置において幅が集約された右端を備える左側引裂開始領域と、
　左の側端縁熱接着部を構成する手前側の積層体の外層に形成された切目線であり且つ左の側端縁熱接着部の外縁から右方向に後退した位置から右方向に進行して近接するように延伸する手前左側の複数本の切目線と、
　左の側端縁熱接着部を構成する奥側の積層体の外層に形成された切目線であり且つ左の側端縁熱接着部の外縁から右方向に後退した位置から右方向に進行して近接するように延伸する奥左側の複数本の切目線との組み合わせであり、
　左側引裂開始領域の右端より右方向に延ばした延長線が、手前左側の複数本の切目線うち最も外側に位置する２本の外側切目線の間の領域と交叉する位置に設けられており、
　左側引裂開始領域の右端より右方向に延ばした延長線が、奥左側の複数本の切目線うち最も外側に位置する２本の外側切目線の間の領域と交叉する位置に設けられており、
　前記右側の開封開始手段は、
　右の側端縁熱接着部を構成する手前側及び奥側の積層体を貫通し且つ右の側端縁熱接着部の外縁の位置において幅が広い右端を備えると伴に右の側端縁熱接着部の内縁には達しない位置において幅が集約された左端を備える右側引裂開始領域と、
　右の側端縁熱接着部を構成する手前側の積層体の外層に形成された切目線であり且つ右の側端縁熱接着部の外縁から左方向に後退した位置から左方向に進行して近接するように延伸する手前右側の複数本の切目線と、
　右の側端縁熱接着部を構成する奥側の積層体の外層に形成された切目線であり且つ右の側端縁熱接着部の外縁から左方向に後退した位置から左方向に進行して近接するように延伸する奥右側の複数本の切目線との組み合わせであり、
　右側引裂開始領域の左端より左方向に延ばした延長線が、手前右側の複数本の切目線うち最も外側に位置する２本の外側切目線の間の領域と交叉する位置に設けられており、
　右側引裂開始領域の左端より左方向に延ばした延長線が、奥右側の複数本の切目線うち最も外側に位置する２本の外側切目線の間の領域と交叉する位置に設けられている
ことを
特徴とする包装袋
　【請求項４】
　外層とアルミニウムからなる中間層と熱接着性樹脂からなる内層とを少なくとも有する矩形状の積層体の前記内層同士を重ね合わせて手前側の積層体と奥側の積層体と成し、
　手前側の積層体の平面視状態における対向する一組の左右の側端縁の対向する位置で手前側及び奥側の積層体同士を熱接着して接合状態とすることにより少なくとも左右の側端縁熱接着部を形成し、
　前記左の側端縁熱接着部から右の側端縁熱接着部にかけて設けられた開封手段により左右方向に引裂き開口した際に、引裂き開口部を形成する手前側と奥側の積層体の切断面の外郭とを異ならしめることで、引裂き開口部に段差を生じさせる包装袋であって、
　前記開封手段は、左側の開封開始手段と、右側の開封開始手段と、これら左側と右側の開封開始手段に挟まれた段差形成手段とを備えており、
　前記段差形成手段は、前記手前側の積層体の外層に形成された手前側の段差形成用切目線と、前記奥側の積層体の外層に形成された奥側の段差形成用切目線とを備えており、
　前記手前側の段差形成用切目線は、左側の一点から分岐して右側の一点に収斂する上側に膨れる円弧状切目線と下側に膨れる円弧状切目線とを備えており、
　前記奥側の段差形成用切目線は、前記手前側の段差形成用切目線の前記上側に膨れる円弧状切目線と前記下側に膨れる円弧状切目線との間と対応する位置を、左右方向に進行する一本の切目線を備えており、
　前記左側の開封開始手段は、
　左の側端縁熱接着部を構成する手前側及び奥側の積層体を貫通する傷痕群であって且つ左の側端縁熱接着部の外縁から左の側端縁熱接着部の内縁には達しない位置に形成された左側引裂き開始領域と、
　左の側端縁熱接着部を構成する手前側の積層体の外層に形成された切目線であり且つ左の側端縁熱接着部の外縁から右方向に後退した位置から右方向に進行して近接するように延伸する手前左側の複数本の切目線と、
　左の側端縁熱接着部を構成する奥側の積層体の外層に形成された切目線であり且つ左の側端縁熱接着部の外縁から右方向に後退した位置から右方向に進行して近接するように延伸する奥左側の複数本の切目線との組み合わせであり、
　左側引裂開始領域が、手前左側の複数本の切目線のうち最も外側に位置する２本の外側切目線と、これら２本の外側切目線のそれぞれの左端から左方向に延びる二本の延長線と、左の側端縁熱接着部の外縁と、で囲まれた領域内に設けられており、
　左側引裂開始領域が、奥左側の複数本の切目線のうち最も外側に位置する２本の外側切目線と、これら２本の外側切目線のそれぞれの左端から左方向に延びる二本の延長線と、左の側端縁熱接着部の外縁と、で囲まれた領域内に設けられており、
　前記右側の開封開始手段は、
右の側端縁熱接着部を構成する手前側及び奥側の積層体を貫通する傷痕群であって且つ右の側端縁熱接着部の外縁から右の側端縁熱接着部の内縁には達しない位置に形成された右側引裂き開始領域と、
　右の側端縁熱接着部を構成する手前側の積層体の外層に形成された切目線であり且つ右の側端縁熱接着部の外縁から左方向に後退した位置から左方向に進行して近接するように延伸する手前右側の複数本の切目線と、
　右の側端縁熱接着部を構成する奥側の積層体の外層に形成された切目線であり且つ右の側端縁熱接着部の外縁から左方向に後退した位置から左方向に進行して近接するように延伸する奥右側の複数本の切目線との組み合わせであり、
　右側引裂開始領域が、手前右側の複数本の切目線のうち最も外側に位置する２本の外側切目線と、これら２本の外側切目線のそれぞれの右端から右方向に延びる二本の延長線と、右の側端縁熱接着部の外縁と、で囲まれた領域内に設けられており、
　右側引裂開始領域が、奥右側の複数本の切目線のうち最も外側に位置する２本の外側切目線と、これら２本の外側切目線のそれぞれの右端から右方向に延びる二本の延長線と、右の側端縁熱接着部の外縁と、で囲まれた領域内に設けられている、
ことを
特徴とする包装袋
　【請求項５】
　外層とアルミニウムからなる中間層と熱接着性樹脂からなる内層とを少なくとも有する矩形状の積層体の前記内層同士を重ね合わせて手前側の積層体と奥側の積層体と成し、
　手前側の積層体の平面視状態における対向する一組の左右の側端縁の対向する位置で手前側及び奥側の積層体同士を熱接着して接合状態とすることにより少なくとも左右の側端縁熱接着部を形成し、
　前記左の側端縁熱接着部から右の側端縁熱接着部にかけて設けられた開封手段により左右方向に引裂き開口した際に、引裂き開口部を形成する手前側と奥側の積層体の切断面の外郭とを異ならしめることで、引裂き開口部に段差を生じさせる包装袋であって、
　前記開封手段は、左側の開封開始手段と、右側の開封開始手段と、これら左側と右側の開封開始手段に挟まれた段差形成手段とを備えており、
　前記段差形成手段は、前記手前側の積層体の外層に形成された手前側の段差形成用切目線と、前記奥側の積層体の外層に形成された奥側の段差形成用切目線とを備えており、
　前記手前側の段差形成用切目線は、左側の一点から分岐して右側の一点に収斂する上側に膨れる円弧状切目線と下側に膨れる円弧状切目線とを備えており、
　前記奥側の段差形成用切目線は、前記手前側の段差形成用切目線の前記上側に膨れる円弧状切目線と前記下側に膨れる円弧状切目線との間と対応する位置を、左右方向に進行する一本の切目線を備えており、
　前記左側の開封開始手段は、
　左の側端縁熱接着部を構成する手前側及び奥側の積層体を貫通する傷痕群であって且つ左の側端縁熱接着部の外縁から左の側端縁熱接着部の内縁には達しない位置に形成された左側引裂き開始領域と、
　左の側端縁熱接着部を構成する手前側の積層体の外層に形成された切目線であり且つ左の側端縁熱接着部の外縁から右方向に後退した位置から右方向に進行して近接するように延伸する手前左側の複数本の切目線と、
　左の側端縁熱接着部を構成する奥側の積層体の外層に形成された切目線であり且つ左の側端縁熱接着部の外縁から右方向に後退した位置から右方向に進行して近接するように延伸する奥左側の複数本の切目線と、の組み合わせであり、
　左側引裂開始領域が、手前左側の複数本の切目線のうち最も外側に位置する２本の外側切目線と、これら２本の外側切目線のそれぞれの左端から左方向に延びる二本の延長線と、これら２本の外側切目線のそれぞれの近接する右端同志をつないだ線と、左の側端縁熱接着部の外縁と、で囲まれた六角形状の領域内に設けられており、
　左側引裂開始領域が、奥左側の複数本の切目線のうち最も外側に位置する２本の外側切目線と、これら２本の外側切目線のそれぞれの左端から左方向に延びる二本の延長線と、これら２本の外側切目線のそれぞれの近接する右端同志をつないだ線と、左の側端縁熱接着部の外縁と、で囲まれた六角形状の領域内に設けられており、
　前記右側の開封開始手段は、
　右の側端縁熱接着部を構成する手前側及び奥側の積層体を貫通する傷痕群であって且つ右の側端縁熱接着部の外縁から右の側端縁熱接着部の内縁には達しない位置に形成された右側引裂き開始領域と、
　右の側端縁熱接着部を構成する手前側の積層体の外層に形成された切目線であり且つ右の側端縁熱接着部の外縁から左方向に後退した位置から左方向に進行して近接するように延伸する手前右側の複数本の切目線と、
　右の側端縁熱接着部を構成する奥側の積層体の外層に形成された切目線であり且つ右の側端縁熱接着部の外縁から左方向に後退した位置から左方向に進行して近接するように延伸する奥右側の複数本の切目線との組み合わせであり、
　右側引裂開始領域が、手前右側の複数本の切目線のうち最も外側に位置する２本の外側切目線と、これら２本の外側切目線のそれぞれの右端から右方向に延びる二本の延長線と、これら２本の外側切目線のそれぞれの近接する左端同志をつないだ線と、右の側端縁熱接着部の外縁と、で囲まれた六角形状の領域内に設けられており、
　右側引裂開始領域が、奥右側の複数本の切目線のうち最も外側に位置する２本の外側切目線と、これら２本の外側切目線のそれぞれの右端から右方向に延びる二本の延長線と、これら２本の外側切目線のそれぞれの近接する左端同志をつないだ線と、右の側端縁熱接着部の外縁と、で囲まれた六角形状の領域内に設けられている、
ことを
特徴とする包装袋
　【請求項６】
　前記手前側の段差形成用切目線は、
　手前側の積層体の外層に形成された切目線であり且つ前記手前左側の複数本の切目線の近接した部分から前記手前側の段差形成用切目線の左側の一点に向かって右方向に進行する手前左側の一本の切目線と、
　手前側の積層体の外層に形成された切目線であり且つ前記手前右側の複数本の切目線の近接した部分から前記手前側の段差形成用切目線の右側の一点に向かって左方向に進行する手前右側の一本の切目線と、をさらに備え、
　前記奥側の段差形成用切目線は、
　奥側の積層体の外層に形成された切目線であり且つ前記奥左側の複数本の切目線の近接した部分から前記奥側の段差形成用切目線の備える一本の切目線の左側の一点に向かって右方向に進行する奥左側の一本の切目線と、
　奥側の積層体の外層に形成された切目線であり且つ前記奥右側の複数本の切目線の近接した部分から前記奥側の段差形成用切目線の備える一本の切目線の右側の一点に向かって左方向に進行する奥右側の一本の切目線と、をさらに備える、
ことを特徴とする請求項
２
　【請求項７】
　前記前記奥左側の一本の切目線と、前記奥側の段差形成用切目線の備える一本の切目線と、前記奥右側の一本の切目線と、が同一直線状をなすように配置されている、
ことを特徴とする請求項６に記載の包装袋。
　【請求項８】
　前記奥左側の複数本の切目線は中央の一本を備える奇数本である、
ことを特徴とする請求項７に記載の包装袋。
　【請求項９】
　前記開封開始手段より下側の包装袋の内面の対向する位置に、相互に咬合し合う凸条の雄部材と凹条の雌部材とからなる合成樹脂製の咬合具が設けられ、
　前記雄部材と前記雌部材とを咬合することで再封機能を備えることを特徴とする請求項
２
　【請求項１０】
　前記手前側及び奥側の積層体はいずれも、中間層より内層側に配置された層は全て未延伸フィルムおよび／または未延伸樹脂層から構成されていることを特徴とする、
ことを特徴とする請求項
２